(57)【特許請求の範囲】
【請求項１】
横方向に伸びる１対の横辺と縦方向に伸びる１対の縦辺とを有する同寸法の矩形状の配線基板構成部が多数並べて設けられた矩形状の板材からなっていて、前記板材から切り取られた各配線基板構成部が配線基板を構成する配線基板集合体において、
前記多数の配線基板構成部は、各配線基板構成部の横辺及び縦辺をそれぞれ前記板材の横方向及び縦方向に向けた状態で、前記板材の縦方向に伸びる複数の列と前記板材の横方向に伸びる複数の行とをなすように縦横に並べて配置され、
前記配線基板構成部の複数の列相互間に、前記板材の縦方向に連続的に伸びる列間の縦骨部が形成されるとともに、前記板材の横方向の両端に該板材の縦方向に沿って連続的に伸びる外側の縦骨部が形成され、
各配線基板構成部の１対の縦辺のそれぞれに沿って縦スリットが設けられるとともに、各列において隣り合う配線基板構成部の間に、該隣り合う配線基板構成部の隣り合う横辺が臨む横スリットが形成されて、該横スリットにより、各列において隣り合う配線基板構成部相互間が分断され、
各横スリットは、各横スリットに隣接する配線基板構成部の横辺の両端を超えた位置で両端が終端するように設けられ、
前記各配線基板構成部の１対の縦辺のそれぞれに沿う縦スリットは、それぞれの縦スリットの両端に隣接する領域に各配線基板構成部をその両側の縦骨部に連結する連結部を残すように設けられ、
各配線基板構成部の列の両側に存在する縦骨部を押さえた状態で各配線基板構成部を縦骨部に連結している連結部を前記板材の厚み方向に切断することにより各配線基板構成部を前記板材から切り離すことができるように構成されたこと、
を特徴とする配線基板集合体。
【請求項２】
横方向に伸びる１対の横辺と縦方向に伸びる１対の縦辺とを有する同寸法の矩形状の配線基板構成部が多数並べて設けられた矩形状の板材からなっていて、前記板材から切り取られた各配線基板構成部が配線基板を構成する配線基板集合体において、
前記多数の配線基板構成部は、各配線基板構成部の横辺及び縦辺をそれぞれ前記板材の横方向及び縦方向に向けた状態で、前記板材の縦方向に伸びる複数の列と前記板材の横方向に伸びる複数の行とをなすように縦横に並べて配置され、
前記配線基板構成部の複数の列相互間に、前記板材の縦方向に連続的に伸びる列間の縦骨部が形成されるとともに、前記板材の横方向の両端に該板材の縦方向に沿って連続的に伸びる外側の縦骨部が形成され、
各配線基板構成部の１対の縦辺に沿って伸びる互いに平行な１対の縦スリットが各配線基板構成部毎に設けられるとともに、各列において隣り合う配線基板構成部の間に、該隣り合う配線基板構成部の隣り合う横辺が臨む横スリットが形成されて、該横スリットにより、各列において隣り合う配線基板構成部相互間が分断され、
各横スリットは、各横スリットに隣接する配線基板構成部の横辺の両端を超えた位置で両端が終端するように設けられ、
各配線基板構成部に対して設けられた１対の縦スリットは、各配線基板構成部の縦辺の両端よりも手前の位置で終端するように設けられていて、各縦スリットの両端に隣接する部分に形成された連結部により各配線基板構成部がその両側の縦骨部に連結され、
各配線基板構成部の列の両側に存在する縦骨部を押さえた状態で各配線基板構成部の四隅に形成されている連結部を前記板材の厚み方向に切断することにより各配線基板構成部を前記板材から切り離すことができるように構成されたこと、
を特徴とする配線基板集合体。
【請求項３】
前記板材の横方向に連続的に伸びていて前記列間の縦骨部及び外側の縦骨部を相互の連結する横骨部が少なくとも１つ設けられ、
前記横スリットは、前記横骨部と該横骨部に隣接する配線基板構成部との間にも形成されていること、
を特徴とする請求項２に記載の配線基板集合体。
【請求項４】
前記横骨部は、前記板材の縦方向の一端に形成されている請求項３に記載の配線基板集合体。
【請求項５】
前記横骨部は、前記板材の縦方向の中間部に少なくとも１つ設けられている請求項３に記載の配線基板集合体。
【請求項６】
前記請求項１ないし５のいずれか１つに記載された配線基板集合体から配線基板構成部を切り離す、配線基板集合体からの配線基板構成部切り離し装置において、
前記配線基板集合体から切り離すべき配線基板構成部の両側に存在する１対の縦骨部及び該１対の縦骨部を切り離すべき配線基板構成部に連結している各連結部のうち各連結部の少なくとも一部を間に挟んで保持する内側治具と、
前記内側治具の外側にあって、前記切り離すべき配線基板構成部の両側に存在する１対の縦骨部及び該１対の縦骨部を切り離すべき配線基板構成部に連結している各連結部のうち前記内側治具により挟まれていない部分を挟んで保持する外側治具と、
を具備し、
前記内側治具及び外側治具は、それぞれが保持すべき部分を挟んで保持した状態で配線基板集合体の板厚方向に相対的に変位し得るように設けられ、前記内側治具及び外側治具の相対的な変位により、両治具により保持されている部分の間の部分を剪断して、前記切り離すべき配線基板構成部をその両側の縦骨部から切り離すように構成されていること、  を特徴とする配線基板集合体からの配線基板構成部切り離し装置。
【請求項７】
前記請求項１ないし５のいずれか１つに記載された配線基板集合体を、その板厚方向を上下方向に向けた状態で配置して、該配線基板集合体から配線基板構成部を切り離す、配線基板集合体からの配線基板構成部切り離し装置において、
第１の底部と該第１の底部から起立した１対の第１の起立壁部とを有して、前記配線基板集合体から切り離すべき配線基板構成部の両側にそれぞれ存在する連結部の少なくとも一部に下側から当接する１対の第１の下側基板当接面を前記１対の第１の起立壁部の上端に有する第１の下側治具と、
第１の天井部と該第１の天井部から下方に突出した１対の第１の側壁部とを有して、前記切り離すべき配線基板構成部の両側にそれぞれ存在する連結部の各部のうち前記１対の第１の下側基板当接面がそれぞれ当接している部分に上側から当接する１対の第１の上側基板当接面をそれぞれ前記１対の第１の側壁部の下端に有する第１の上側治具と、
前記第１の下側治具の外側に配置されていて、第２の底部と該第２の底部から起立した１対の第２の起立壁部とを有し、前記切り離すべき配線基板構成部の両側にそれぞれ存在する縦骨部及び連結部のうち前記１対の第１の下側基板当接面が当接していない部分に下側から当接する１対の第２の下側基板当接面をそれぞれ前記１対の第２の起立壁部の上端に有する第２の下側治具と、
前記第１の上側治具の外側に配置されていて、第２の天井部と該第２の天井部から下方に突出した１対の第２の側壁部とを有して、前記切り離すべき配線基板構成部の両側にそれぞれ存在する縦骨部及び連結部のうち前記１対の第２の下側基板当接面がそれぞれ当接している部分に上側から当接する１対の第２の上側基板当接面をそれぞれ前記１対の第２の側壁部の下端に有する第２の上側治具と、
を具備し、
前記第１の上側治具の１対の第１の側壁部の下端の外側のエッジ及び前記第２の下側治具の１対の第２の起立壁部の上端の内側のエッジがそれぞれシヤーの上刃及び下刃を構成するか、または前記第２の上側治具の１対の第２の側壁部の下端の内側のエッジ及び前記第１の下側治具の１対の第１の起立壁部の上端の外側のエッジがそれぞれシヤーの上刃及び下刃を構成しており、
前記第１の下側治具の１対の第１の下側基板当接面及び第１の上側治具の１対の第１の上側基板当接面をそれぞれ当接させるべき箇所に当接させ、前記第２の下側治具の１対の第２の下側基板当接面及び第２の上側治具の１対の第２の上側基板当接面をそれぞれ当接させるべき箇所に当接させた状態で、前記第１の下側治具及び第１の上側治具を前記第２の下側治具及び第２の上側治具に対して相対的に前記配線基板集合体の板厚方向に変位させることにより、切り離すべき配線基板構成部をその両側の縦骨部から切り離すように構成されていること、
を特徴とする配線基板集合体からの配線基板構成部切り離し装置。
【発明の詳細な説明】
【技術分野】
【０００１】
本発明は、配線基板を構成する配線基板構成部を多数集合させて連結部で連結した構造を有して、各配線基板構成部の連結部を切り離すことにより配線基板を得ることができるようにした多数個取りの配線基板集合体、及び該配線基板集合体から配線基板構成部を切り離す、配線基板集合体からの配線基板構成部切り離し装置に関する。
【背景技術】
【０００２】
ハイブリッドＩＣ（集積回路）等の電子回路装置を構成する配線基板を得るために、配線基板を構成する配線基板構成部を多数集合させて連結部で連結した構造を有する配線基板集合体が用いられている。配線基板が非常に小形である場合には、電子回路装置を製造する過程で各配線基板を個別に扱うと、その取り扱いが容易でないため、製造能率が低下するのを避けられない。これに対し、上記のような配線基板集合体を用いると、取り扱い易い寸法の配線基板集合体の状態で、各配線基板構成部に部品を実装した後に各配線基板構成部を切り離すことにより、電子部品が実装された多数の配線基板を容易に得ることができるため、製造能率を向上させることができる。
【０００３】
配線基板集合体としては、特許文献１に示されているように、縦横に並べて配置した多数の配線基板構成部相互間を仕切るように分割溝を形成して、各配線基板構成部を分割溝のところで他の配線基板構成部から折り取ることにより、一連の配線基板構成部を切り離すようにしたものがある。
【０００４】
しかしながら、このように各配線基板構成部を分割溝のところで折り取るようにした場合には、基板を分割する際に基板が湾曲したり、基板にストレスがかかったりするため、基板に取りつけられた電子部品が破壊したり、その特性が劣化したりするおそれがあり、好ましくない。
【０００５】
また、特許文献２に示されているような、いわゆるプッシュバック方式の配線基板集合体も知られている。プッシュバック方式の配線基板集合体を用いる場合には、配線基板集合体から各配線基板構成部を打ち抜いて一旦切り離した後、切り離した各配線基板構成部を、各配線基板構成部を打ち抜いた後に形成された枠部内に戻すことにより、各配線基板構成部が容易に分離し得る状態で枠部内に保持された配線基板集合体を再構成し、この再構成した配線基板集合体の各配線基板構成部に電子部品を実装した後、各配線基板構成部を枠部から取り外す。
【０００６】
プッシュバック方式の配線基板集合体を用いれば、電子部品が取りつけられた基板を分離する際に、電子部品にストレスがかかることがないため、電子部品が破損するおそれを無くすことができる。しかしながら、プッシュバック方式の配線基板集合体では、電子部品を取りつける際に、各配線基板構成部が枠部内に容易に外れ得る状態で嵌合されて保持されているだけであるため、各配線基板構成部に電子部品を実装する過程で各配線基板構成部が離脱するおそれがある。
【０００７】
また図７（Ａ）に示されたように、矩形状の配線基板構成部ａを縦横に並べて形成して、隣り合う配線基板構成部相互間を複数の連結部ａ1により連結した配線基板集合体Ａが知られている。この種の配線基板集合体は、例えば特許文献３に示されている。図７（Ａ）に示された配線基板集合体を用いる場合には、各配線基板構成部ａに電子部品ｂを実装した後、図７（Ｂ）に示すように、配線基板集合体Ａの裏面に当接して該配線基板集合体を支える下型Ｃと、配線基板集合体Ａを上から押さえる上型Ｄと、上型Ｄ及び下型Ｃを通して変位して配線基板構成部ａ，ａ，…相互間を連結している連結部ａ1，ａ１，…を打ち抜くポンチＰとを備えた基板分離装置を用いて、各連結部を打ち抜くことにより各配線基板構成部ａを切り離す。この場合、上型Ｄには、各配線基板構成部ａに実装された電子部品ｂを収容する凹部ｄ1と、各配線基板構成部ａの表面に当接して各配線基板構成部ａを下型Ｃに対して押さえつける基板押さえ部ｄ2とを設けておく必要がある。
【特許文献１】特開２０００−１６５００４号公報
【特許文献２】特開平１１−２６０９５１号公報
【特許文献３】特開昭５８−１０８８９号公報
【発明の開示】
【発明が解決しようとする課題】
【０００８】
特許文献３に示されたように、配線基板構成部相互間を連結部により連結した構造の配線基板集合体を用いれば、連結部をポンチにより打ち抜くことにより各配線基板構成部を分離することができるため、各配線基板構成部及び各配線基板構成部に取り付けられた電子部品にストレスがかかるのを防ぐことができ、各配線基板構成部に実装された電子部品がストレスにより破損したり、その特性が劣化したりするおそれをなくすことができる。
またプッシュバック方式の配線基板集合体を用いる場合のように、電子部品を実装する過程で配線基板構成部が脱落するおそれをなくすことができる。
【０００９】
しかしながら、特許文献３に示された配線基板集合体では、配線基板構成部ａ，ａ，…相互間を連結している連結部ａ1をポンチで打ち抜いて各配線基板構成部ａを分離する際に、各配線基板構成部ａの表面に上型の基板押さえ部ｄ2を当接させるためのスペースを確保しておく必要があるため、各配線基板構成部が大形化し、このことが、電子回路部品の小形化を図る上で障害になるという問題があった。
【００１０】
本発明の目的は、各配線基板構成部の表面を押さえることなく、しかも各配線基板構成部に実装されている電子部品にストレスをかけることなく、各配線基板構成部を分離することができるようにして、各配線基板構成部の小形化を図ることができるようにした配線基板集合体を提供することにある。
【００１１】
本発明の他の目的は、配線基板構成部に無用なストレスをかけることなく配線基板集合体から配線基板構成部を切り離す配線基板切り離し装置を提供することにある。
【課題を解決するための手段】
【００１２】
本発明は、横方向に伸びる１対の横辺と縦方向に伸びる１対の縦辺とを有する同寸法の矩形状の配線基板構成部が多数並べて設けられた矩形状の板材からなっていて、前記板材から切り取られた各配線基板構成部が配線基板を構成する配線基板集合体に適用される。
【００１３】
本発明においては、多数の配線基板構成部が、各配線基板構成部の横辺及び縦辺をそれぞれ板材の横方向及び縦方向に向けた状態で、板材の縦方向に伸びる複数の列と板材の横方向に伸びる複数の行とをなすように縦横に並べて配置される。また配線基板構成部の複数の列相互間に、板材の縦方向に連続的に伸びる列間の縦骨部が形成され、板材の横方向の両端に該板材の縦方向に沿って連続的に伸びる外側の縦骨部が形成される。更に、各配線基板構成部の１対の縦辺のそれぞれに沿って縦スリットが設けられるとともに、各列において隣り合う配線基板構成部の間に、該隣り合う配線基板構成部の隣り合う横辺が臨む横スリットが形成されて、該横スリットにより、各列において隣り合う配線基板構成部相互間が分断される。各横スリットは、各横スリットに隣接する配線基板構成部の横辺の両端を超えた位置で両端が終端するように設けられる。各配線基板構成部の１対の縦辺のそれぞれに沿う縦スリットは、それぞれの縦スリットの両端に隣接する領域に各配線基板構成部をその両側の縦辺に連結する連結部を残すように設けられ、各配線基板構成部の列の両側に存在する縦骨部を押さえた状態で各配線基板構成部を縦骨部に連結している連結部を板材の厚み方向に切断することにより各配線基板構成部を板材から切り離すことができるように構成されている。
【００１４】
上記のように構成すると、各配線基板構成部の両側に存在する縦骨部を押さえた状態で、各配線基板構成部を縦骨部に連結している連結部を切断することにより各配線基板構成部を分割することができるため、各配線基板構成部及び各配線基板構成部に実装された電子部品にストレスをかけることなく、各配線基板構成部を配線基板集合体から分割することができ、電子部品が取りつけられた配線基板を、その品質の安定性を高めて量産することができる。
【００１５】
また上記のように構成すると、連結部を切断する際に各配線基板構成部の表面を押さえる必要がないため、各配線基板構成部の表面に、基板押さえ部を当接させるためのスペースを確保しておく必要がない。そのため、実装する電子部品が同じであれば、各配線基板構成部を従来よりも小形に構成して、電子回路装置の小形化を図ることができる。
【００１６】
本発明の好ましい態様では、上記縦スリットが各配線基板構成部に対して１対設けられ、該１対の縦スリットが、各配線基板構成部の１対の縦辺に沿って互いに平行に伸びるように設けられる。この場合も、配線基板構成部の複数の列相互間に、板材の縦方向に連続的に伸びる列間の縦骨部が形成され、板材の横方向の両端に該板材の縦方向に沿って連続的に伸びる外側の縦骨部が形成される。また各列において隣り合う配線基板構成部の間に、該隣り合う配線基板構成部の隣り合う横辺が臨む横スリットが形成されて、該横スリットにより、各列において隣り合う配線基板構成部相互間が分断される。各横スリットは、各横スリットに隣接する配線基板構成部の横辺の両端を超えた位置で両端が終端するように設けられる。
【００１７】
上記のように構成すると、各配線基板構成部がその四隅で両側の縦骨部に連結されるため、各配線基板構成部と縦骨部との連結強度を高くすることができ、配線基板集合体の機械的強度を高めることができる。
【００１８】
本発明の好ましい態様では、板材の横方向に連続的に伸びていて列間の縦骨部及び外側の縦骨部を相互の連結する横骨部が少なくとも１つ設けられている。この場合、前記横スリットは、横骨部と該横骨部に隣接する配線基板構成部との間にも形成される。
【００１９】
この場合、横骨部は、板材の縦方向の一端に設けられていてもよく、板材の縦方向の中間部に少なくとも１つ設けられていてもよい。
【００２０】
上記のように横骨部を設けておくと、配線基板集合体の機械的強度を高めることができるため、その取り扱いを容易にすることができる。
【００２１】
本発明はまた、本発明に係わる配線基板集合体から配線基板構成部を切り離す、配線基板集合体からの配線基板構成部切り離し装置に適用される。
【００２２】
本発明に係わる配線基板構成部切り離し装置は、配線基板集合体から切り離すべき配線基板構成部の両側に存在する１対の縦骨部及び該１対の縦骨部を切り離すべき配線基板構成部に連結している各連結部のうち、各連結部の少なくとも一部を間に挟んで保持する内側治具と、この内側治具の外側にあって、切り離すべき配線基板構成部の両側に存在する１対の縦骨部及び該１対の縦骨部を切り離すべき配線基板構成部に連結している各連結部のうち、内側治具により挟まれていない部分を挟んで保持する外側治具とを備えている。
【００２３】
上記内側治具及び外側治具は、それぞれが保持すべき部分を挟んで保持した状態で、配線基板集合体の板厚方向に相対的に変位し得るように設けられ、内側治具及び外側治具の相対的な変位により、両治具により保持されている部分の間の部分を剪断して、切り離すべき配線基板構成部をその両側の縦骨部から切り離すように構成されている。
【００２４】
上記のように切り離し装置を構成すると、切り離すべき配線基板構成部の両側に存在する１対の縦骨部及び該１対の縦骨部を切り離すべき配線基板構成部に連結している各連結部のうち、各連結部の少なくとも一部を内側治具により挟んで保持し、切り離すべき配線基板構成部の両側に存在する１対の縦骨部及び該１対の縦骨部を切り離すべき配線基板構成部に連結している各連結部のうち、内側治具により保持されていない部分を外側治具により挟んで保持した状態で、両治具により保持されている部分の間の部分を剪断して、切り離すべき配線基板構成部をその両側の縦骨部から切り離すので、各配線基板構成部及び各配線基板構成部に実装された電子部品にストレスを加えることなく、各配線基板構成部の切り離しを行うことができる。従って、電子部品が実装された配線基板を、その品質を低下させることなく、製造することができる。
【００２５】
本発明の好ましい態様では、配線基板集合体を、その板厚方向を上下方向に向けた状態で配置して、該配線基板集合体から各配線基板構成部を切り離す。この場合、配線基板構成部切り離し装置は、第１の底部と該第１の底部から起立した１対の第１の起立壁部とを有して、配線基板集合体から切り離すべき配線基板構成部の両側にそれぞれ存在する連結部の少なくとも一部に下側から当接する１対の第１の下側基板当接面を前記１対の第１の起立壁部の上端に有する第１の下側治具と、第１の天井部と該第１の天井部から下方に突出した１対の第１の側壁部とを有して、切り離すべき配線基板構成部の両側にそれぞれ存在する連結部の各部のうち１対の第１の下側基板当接面がそれぞれ当接している部分に上側から当接する１対の第１の上側基板当接面をそれぞれ１対の第１の側壁部の下端に有する第１の上側治具と、第１の下側治具の外側に配置されていて、第２の底部と該第２の底部から起立した１対の第２の起立壁部とを有し、切り離すべき配線基板構成部の両側にそれぞれ存在する縦骨部及び連結部のうち１対の第１の下側基板当接面が当接していない部分に下側から当接する１対の第２の下側基板当接面をそれぞれ１対の第２の起立壁部の上端に有する第２の下側治具と、第１の上側治具の外側に配置されていて、第２の天井部と該第２の天井部から下方に突出した１対の第２の側壁部とを有して、切り離すべき配線基板構成部の両側にそれぞれ存在する縦骨部及び連結部のうち１対の第２の下側基板当接面がそれぞれ当接している部分に上側から当接する１対の第２の上側基板当接面をそれぞれ１対の第２の側壁部の下端に有する第２の上側治具とを備えている。
【００２６】
本発明に係わる切り離し装置においては、上記第１の上側治具の１対の第１の側壁部の下端の外側のエッジ及び第２の下側治具の１対の第２の起立壁部の上端の内側のエッジがそれぞれシヤーの上刃及び下刃を構成するか、または第２の上側治具の１対の第２の側壁部の下端の内側のエッジ及び第１の下側治具の１対の第１の起立壁部の上端の外側のエッジがそれぞれシヤーの上刃及び下刃を構成しており、第１の下側治具の１対の第１の下側基板当接面及び第１の上側治具の１対の第１の上側基板当接面をそれぞれ当接させるべき箇所に当接させ、第２の下側治具の１対の第２の下側基板当接面及び第２の上側治具の１対の第２の上側基板当接面をそれぞれ当接させるべき箇所に当接させた状態で、第１の下側治具及び第１の上側治具を第２の下側治具及び第２の上側治具に対して相対的に配線基板集合体の板厚方向に変位させることにより、切り離すべき配線基板構成部をその両側の縦骨部から切り離すように構成されている。
【００２７】
上記好ましい態様に係わる配線基板構成部切り離し装置においては、第１の下側治具及び第１の上側治具により内側治具が構成され、第２の下側治具及び第２の上側治具により外側治具が構成されている。
【発明の効果】
【００２８】
以上のように、本発明によれば、各配線基板構成部の両側に存在する縦骨部を押さえた状態で、各配線基板構成部を縦骨部に連結している連結部を切断することにより各配線基板構成部を分割することができるため、電子部品が実装された各配線基板構成部を配線基板集合体から切り離す際に、各配線基板構成部及び電子部品にストレスがかかるのを防ぐことができる。従って、本発明に係わる配線基板集合体を用いれば、電子部品が取りつけられた配線基板を、電子部品を破壊したり、その特性を劣化させたりすることなく、製造することができ、電子部品が実装された配線基板を、その品質の安定性を高めて量産することができる。
【００２９】
また本発明によれば、連結部を切断する際に各配線基板構成部の表面を押さえる必要がないため、各配線基板構成部の表面に、切断装置の基板押さえ部を当接させるためのスペースを確保しておく必要がない。そのため、実装する電子部品が同じであれば、各配線基板構成部を従来よりも小形に構成して、電子回路装置の小形化を図ることができる。
【００３０】
更に本発明に係わる配線基板構成部切り離し装置は、切り離すべき配線基板構成部の両側に存在する１対の縦骨部及び該１対の縦骨部を切り離すべき配線基板構成部に連結している各連結部のうち、各連結部の少なくとも一部を内側治具により挟んで保持し、切り離すべき配線基板構成部の両側に存在する１対の縦骨部及び該１対の縦骨部を切り離すべき配線基板構成部に連結している各連結部のうち、内側治具により保持されていない部分を外側治具により挟んで保持した状態で、両治具により保持されている部分の間の部分を剪断して、切り離すべき配線基板構成部をその両側の縦骨部から切り離すように構成されているので、各配線基板構成部及び該配線基板構成部に実装されている電子部品にストレスを加えることなく、各配線基板構成部の切り離しを行うことができ、電子部品が実装された配線基板を、電子部品を破壊したり、その特性を劣化させたりすることなく、量産することができる。
【発明を実施するための最良の形態】
【００３１】
以下図面を参照して本発明の好ましい実施形態を詳細に説明する。
図１は本発明の第１の実施形態を示したもので、本実施形態の配線基板集合体１は、図２に示したように、横方向に伸びる１対の横辺１００ａ，１００ａと縦方向に伸びる１対の縦辺１００ｂ，１００ｂとを有する同寸法の多数（図示の例では３５個）の矩形状の配線基板構成部１００を縦横に並べて形成した矩形状の板材１０１からっている。この例では、配線基板構成部１００及び板材１０１について、寸法が長い方の辺を縦方向の辺とし、寸法が短い方の辺を横方向の辺としているが、本発明は、このように矩形の縦横を規定する場合に限定されるものではなく、寸法が短い方の辺を縦方向の辺とし、寸法が長い方の辺を横方向の辺としても何等差し支えない。
【００３２】
３５個の配線基板構成部１００は、各配線基板構成部１００の横辺１００ａ及び縦辺１００ｂをそれぞれ板材１０１の横方向及び縦方向に向けた状態で、板材１０１の縦方向（図１のＹ方向）に伸びる５個の列Ｙ1ないしＹ5と、板材１０１の横方向（図１のＸ方向）に伸びる７個の行Ｘ1ないしＸ7とをなすように縦横に並べて配置されている。各配線基板構成部には、所定の配線パターンと、部品取り付け用のランドとが形成されている。
【００３３】
本発明においては、配線基板構成部１００の複数の列相互間に、板材１０１の縦方向に連続的に伸びる列間縦骨部１０２が形成されるとともに、板材の横方向の一端及び他端にそれぞれ板材１０１の縦方向に沿って連続的に伸びる外側縦骨部１０３及び１０４が形成されている。また板材の縦方向の一端に、該板材の横方向に連続的に伸びていて、一方の外側縦骨部１０３と、４個の列間縦骨部１０２と、他方の外側縦骨部１０４とを連結する横骨部１０５が形成されている。
【００３４】
各配線基板構成部１００の１対の縦辺１００ｂ，１００ｂに沿って伸びる互いに平行な１対の縦スリット１０６，１０６が各配線基板構成部毎に設けられるとともに、各列において隣り合う配線基板構成部相互間を分断するように、各列の配線基板構成部の横辺１００ａ，１００ａに沿って伸びる横スリット１０７，１０７，…が形成されている。各横スリット１０７は、各横スリット１０７に隣接する配線基板構成部１００，１００の横辺の両端を超えた位置で両端が終端するように設けられている。
【００３５】
また各配線基板構成部１００に対して設けられた１対の縦スリット１０６，１０６は、各配線基板構成部１００の縦辺１００ｂ，１００ｂの両端よりも手前の位置で終端するように設けられていて、各縦スリット１０６の両端に隣接する部分（各配線基板構成部の四隅）に形成された連結部１０８により各配線基板構成部１００の四隅がその両側の縦骨部に連結され、各配線基板構成部１００の列の両側に存在する縦骨部（１０３と１０２、１０２と１０２または１０２と１０４）を押さえた状態で各配線基板構成部１００の四隅に形成されている連結部１０８を板材の厚み方向に剪断することにより各配線基板構成部１００を板材から切り離すことができるようになっている。
【００３６】
図示の例では、４個の列間縦骨部１０２の幅寸法がすべて等しく設定され、一方の外側縦骨部１０３の幅寸法が他方の外側縦骨部１０４の幅寸法よりも大きく設定されている。
幅寸法が大きい外側縦骨部１０３の両端に、各配線基板構成部に電子部品を実装する過程及び各配線基板構成部を切り離す過程で配線基板集合体１を位置決めするピンを嵌合させるための位置決め孔１０９，１０９が形成されている。
【００３７】
上記の配線基板集合体１を用いて電子回路装置を製造する場合には、先ず配線基板集合体の各配線基板構成部１００に電子部品１１０を実装する。図１には、右下隅に示された１つの配線基板構成部１００に電子部品１１０が実装された状態が示されている。すべての配線基板構成部１００に電子部品１１０を実装した後、各配線基板構成部を分離する作業を行う。この分離作業は、例えば図３及び図４に示したような配線基板構成部切り離し装置２を用いて行う。
【００３８】
図３及び図４に示された配線基板構成部切り離し装置２は、配線基板集合体１から切り離すべき配線基板構成部１００の両側に存在する１対の縦骨部及び該１対の縦骨部（１０２と１０３、１０２と１０２または１０４と１０２）を切り離すべき配線基板構成部に連結している各連結部１０８のうち各連結部の少なくとも一部を間に挟んで保持する内側治具２Ａと、内側治具２Ａの外側にあって、切り離すべき配線基板構成部１００の両側に存在する１対の縦骨部及び該１対の縦骨部を切り離すべき配線基板構成部に連結している各連結部のうち内側治具２Ａにより挟まれていない部分を挟んで保持する外側治具２Ｂとを備えている。内側治具２Ａ及び外側治具２Ｂは、それぞれが保持すべき部分を挟んで保持した状態で配線基板集合体１の板厚方向に相対的に変位し得るように設けられ、内側治具２Ａ及び外側治具２Ｂの相対的な変位により、両治具により保持されている部分の間の部分を剪断して、切り離すべき配線基板構成部１００をその両側の縦骨部から切り離すように構成されている。
【００３９】
図示の配線基板構成部切り離し装置２は、固定テーブル２００上に固定された、水平方向に伸びるガイドレール２０１により支持されて、板厚方向を上下方向に向けた状態で配置された配線基板集合体１の配線基板構成部の列の長手方向に沿って間歇的に移動しながら、配線基板集合体１から配線基板構成部１００を順次切り離すように構成されている。
【００４０】
更に詳細に説明すると、内側治具２Ａは、断面がほぼＵ字形を呈するように形成された第１の下側治具２０２と、断面がほぼ逆Ｕ字形を呈するように形成された第１の上側治具２０３とにより構成されている。
【００４１】
第１の下側治具２０２は、矩形板状の第１の底部２０２ａと該第１の底部２０２ａの幅方向の両端から起立した１対の第１の起立壁部２０２ｂ，２０２ｃとを有していて、配線基板集合体１から切り離すべき配線基板構成部１００の両側にそれぞれ存在する各連結部１０８の少なくとも一部に下側から当接する１対の第１の下側基板当接面ｑ1，ｑ1（図４Ｂ参照）を１対の第１の起立壁部２０２ｂ，２０２ｃの上端に有している。
【００４２】
第１の上側治具２０３は、矩形板状の第１の天井部２０３ａと第１の天井部２０３ａから下方に突出した１対の第１の側壁部２０３ｂ，２０３ｃとを有していて、切り離すべき配線基板構成部１００の両側にそれぞれ存在する各連結部１０８の各部のうち１対の第１の下側基板当接面ｑ1，ｑ1がそれぞれ当接している部分に上側から当接する１対の第１の上側基板当接面ｑ2，ｑ2（図４Ａ参照）をそれぞれ１対の第１の側壁部２０３ｂ，２０３ｃの下端に有している。
【００４３】
外側治具２Ｂは、断面がほぼＵ字形を呈するように形成されて第１の下側治具２０２の外側に配置された第２の下側治具２０４と、断面がほぼ逆Ｕ字形を呈するように形成されて第１の上側治具２０３の外側に配置された第２の上側治具２０５とにより構成されている。
【００４４】
第２の下側治具２０４は、第１の下側治具２０２の外側に配置されていて、矩形板状の第２の底部２０４ａと該第２の底部２０４ａから起立した１対の第２の起立壁部２０４ｂ，２０４ｃとを有し、底部２０４ａがガイドレール２０１によりスライド自在に支持されている。第２の下側治具２０４の１対の第２の起立壁部２０４ｂ，２０４ｃの上端には、切り離すべき配線基板構成部１００の両側にそれぞれ存在する１対の縦骨部（１０２と１０３、１０２と１０２または１０４と１０２）及び各連結部１０８のうち、第１の下側治具２０２に設けられた１対の第１の下側基板当接面ｑ1が当接していない部分に下側から当接する１対の第２の下側基板当接面ｑ3，ｑ3（図４Ａ参照）が設けられている。
【００４５】
第２の上側治具２０５は、第１の上側治具２０３の外側に配置されていて、第２の天井部２０５ａと第２の天井部２０５ａから下方に突出した１対の第２の側壁部２０５ｂ，２０５ｃとを有し、１対の第２の側壁部２０５ｂ，２０５ｃの下端には、切り離すべき配線基板構成部１００の両側にそれぞれ存在する１対の縦骨部及び各連結部のうち１対の第２の下側基板当接面ｑ3，ｑ3がそれぞれ当接している部分に上側から当接する１対の第２の上側基板当接面ｑ4，ｑ4（図４Ａ参照）が設けられている。
【００４６】
本発明に係わる切り離し装置においては、第１の上側治具２０３の１対の第１の側壁部２０３ｂ，２０３ｃの下端の外側のエッジ及び第２の下側治具２０５の１対の第２の起立壁部２０５ｂ，２０５ｃの上端の内側のエッジがそれぞれシヤーの上刃及び下刃を構成するか、または第２の上側治具２０５の１対の第２の側壁部２０５ｂ，２０５ｃの下端の内側のエッジ及び第１の下側治具２０２の１対の第１の起立壁部２０２ｂ，２０２ｃの上端の外側のエッジがそれぞれシヤーの上刃及び下刃を構成するようにしておいて、第１の下側治具２０２の１対の第１の下側基板当接面ｑ1，ｑ1及び第１の上側治具２０３の１対の第１の上側基板当接面ｑ2，ｑ2をそれぞれ切り離すべき配線基板構成部１００の両側の当接させるべき箇所に当接させ、第２の下側治具２０４の１対の第２の下側基板当接面ｑ3，ｑ3及び第２の上側治具２０５の１対の第２の上側基板当接面ｑ4，ｑ4をそれぞれ切り離すべき配線基板構成部１００の両側の当接させるべき箇所に当接させた状態で、第１の下側治具２０２及び第１の上側治具２０３を第２の下側治具２０４及び第２の上側治具２０５に対して相対的に配線基板集合体１の板厚方向に変位させることにより、切り離すべき配線基板構成部１００をその両側の縦骨部から切り離す。
【００４７】
図示の例では、第２の下側治具２０４の起立壁部２０４ｂ，２０４ｃの上端の幅寸法（基板当接面ｑ3の幅寸法）Ｗ1（図４Ｂ参照）が、配線基板集合体１の隣り合う縦スリット１０６，１０６の中心間の距離α（図２参照）に等いか、または該距離αよりもわずかに小さく設定され、起立壁部２０４ｂ，２０４ｃの上端のそれぞれの内側のエッジが刃部（下刃）となっている。起立壁部２０４ｂ，２０４ｃ相互間の間隔Ｗ2は、配線基板集合体１の各配線基板構成部１００に対して設けられた１対の縦スリット１０６，１０６の中心間の距離β（図２参照）に等しく設定されている。
【００４８】
また第２の上側治具２０５の側壁部２０５ｂ，２０５ｃのそれぞれの下端の幅寸法（基板当接面ｑ4の幅寸法）Ｗ1′（図４Ｂ参照）は、第２の下側治具２０４の起立壁部２０４ｂ，２０４ｃの上端の幅寸法Ｗ1に等しく設定されている。側壁部２０５ｂ，２０５ｃ相互間の間隔Ｗ2′は、下側治具２０４の起立壁部２０４ｂ，２０４ｃ相互間の間隔Ｗ2に等しく設定されている。また図示の例では、第１の上側治具２０３の側壁部２０３ｂ，２０３ｃの下端の外側のエッジが刃部（上刃）となっている。
【００４９】
第２の下側治具２０４及び第２の上側治具２０５は、それぞれの底部２０４ａ及び天井部２０５ａの中心を一致させ、かつ起立壁部２０４ｂ，２０４ｃの上端の基板当接面ｑ3,ｑ3及び側壁部２０５ｂ，２０５ｃの下端の基板当接面ｑ4，ｑ4を上下に対向させた状態で配置されている。
【００５０】
第１の下側治具２０２は、その底部２０２ａを第２の下側治具２０４の底部２０４ａに対向させ、かつ起立壁部２０２ｂ，２０２ｃを第２の下側治具２０４の起立壁部２０４ｂ，２０４ｃの内側にスライド自在に嵌合させた状態で配置されている。図３及び図４に示されているように、第１の下側治具２０２の底部２０２ａと第２の下側治具２０４の底部２０４ａとの間には圧縮バネ２０６が配置され、このバネにより第１の下側治具２０２が上方に付勢されている。
【００５１】
第１の下側治具２０２の起立壁部２０２ｂ，２０２ｃの上端の幅寸法ω1（図４Ａ参照）は、配線基板集合体１の各配線基板構成部１００の両側の縦スリット１０６，１０６のそれぞれの幅寸法δ（図２参照）の１／２に等しく設定されている。また起立壁部２０２ｂ，２０２ｃ相互間の間隔ω2は、配線基板集合体１の各配線基板構成部１００に対して設けられた１対の縦スリット１０６，１０６の中心間の距離β（図２参照）に等しく設定されている。
【００５２】
第１の上側治具２０３は、その天井部２０３ａを第２の上側治具２０５の天井部２０５ａに対向させ、かつ側壁部２０３ｂ，２０３ｃを第２の上側治具２０５の側壁部２０５ｂ，２０５ｃの内側にスライド自在に嵌合させた状態で配置されている。第１の上側治具２０３の側壁部２０３ｂ，２０３ｃのそれぞれの下端の幅寸法ω1′は第１の下側治具２０２の起立壁部２０２ｂ，２０２ｃの上端の幅寸法ω1に等しく設定されている。側壁部２０３ｂ，２０３ｃ相互間の間隔ω2′は、第１の下側治具２０２の起立壁部２０２ｂ，２０２ｃ相互間の間隔ω2に等しく設定され、側壁部２０３ｂ及び２０３ｃの下端の外側のエッジが、第２の下側治具２０４の起立壁部２０４ｂ，２０４ｃの上端の内側のエッジの刃部と協働する刃部を構成している。
【００５３】
第２の下側治具２０４の側壁部２０４ｂ，２０４ｃの対向方向に対して直角な方向（ガイドレール２０１の長手方向）に測った寸法（奥行き寸法）Ｌ（図３参照）は、配線基板集合体１の配線基板構成部の各列において隣り合う横溝１０７，１０７の中心間の距離γ（図２参照）に等しいか、該距離γよりもわずかに大きく設定されている。第１の下側治具２０２の起立壁部２０２ｂ，２０２ｃの奥行き寸法、第２の上側治具２０５の側壁部２０５ｂ，２０５ｃの奥行き寸法及び第１の上側治具２０３の側壁部２０３ｂ，２０３ｃの奥行き寸法は、第２の下側治具２０４の側壁部２０４ｂ，２０４ｃの奥行き寸法Ｌに等しく設定されている。
【００５４】
第１の上側治具２０３及び第２の上側治具２０５を駆動するために主軸２０７が設けられている。主軸２０７は、第２の上側治具２０５の天井部２０５ａの中心部をスライド自在に貫通して下端が第１の上側治具２０３の天井部２０３ａの中心部に固定された小径部２０７ａと、この小径部よりも上方に位置する大径部２０７ｂとからなっていて、小径部２０７ａと大径部２０７ｂとの間に形成された段部と第２の上側治具２０５の天井部２０５ａとの間に圧縮バネ２０８が嵌装されている。このバネ２０８により、第１の上側治具２０３の天井部が第２の上側治具２０５の天井部側に付勢されている。バネ２０８の付勢力は、バネ２０６の付勢力よりも大きく設定されている。
【００５５】
主軸２０７は、図示しない駆動機構により駆動されて上下動させられ、この主軸の上下動により、第１の上側治具２０３及び第２の上側治具２０５が、図４（Ａ）に示すように第１の下側治具２０２及び第２の下側治具２０４から離れた状態になる退避位置と、図４（Ｂ）に示すように第１の下側治具２０２及び第２の下側治具２０４と協働する作用位置との間を上下動させられる。
【００５６】
各配線基板構成部１００に電子部品が実装された配線基板集合体１は、該配線基板集合体をＸ方向及びＹ方向の双方に駆動させることが可能なＸ−Ｙ駆動機構を備えた基板搬送装置（図示せず。）により支持されて、図３及び図４（Ｂ）に示したように、その縦方向（Ｘ方向）を下側治具２０２，２０４及び上側治具２０３，２０５の幅方向に一致させた状態で配置される。そして、先ず配線基板集合体１の横方向の一端側の配線基板構成部の列Ｙ1の最端部の（Ｘ1行に属する）配線基板構成部１００を切り離しの対象として下側治具刃２０２，２０４と上側治具２０３，２０５の間に配置し、切り離すべき配線基板構成部１００の中心位置を下側治具２０２，２０４及び上側治具２０３，２０５の中心位置に一致させて、切り離すべき配線基板構成部１００の両側の連結部１０８を、バネ２０６の付勢により第２の下側治具２０４の起立壁部２０４ｂ，２０４ｃの上端から上方に飛び出した状態にある第１の下側治具２０２の起立壁部２０２ｂ，２０２ｃの上端の基板当接面ｑ1，ｑ1の上に載せる。
【００５７】
この状態で、主軸２０７を下降させる。主軸２０７を下降させる過程で先ず第２の上側治具２０５の側壁部２０５ｂ，２０５ｃの下端の基板当接面ｑ4，ｑ4を切り離すべき配線基板構成部１００の両側の縦骨部１０２，１０３と連結部１０８の一部とに当接させる。次いで上側治具２０５を配線基板集合体１及び下側治具２０２とともに下方に変位させて、切り離すべき配線基板構成部１００の両側の縦骨部１０２，１０３と連結部１０８の一部とを第２の下側治具２０４の起立壁部の上端の基板当接面ｑ3，ｑ3に当接させる。これにより、切り離すべき配線基板構成部１００の両側の縦骨部１０２，１０３と各連結部１０８の半部とを、上側治具２０５の基板当接面ｑ4，ｑ4と下側治具２０４の基板当接面ｑ3，ｑ3とにより挟んで（外側治具２Ｂにより挟んで）固定する。
【００５８】
次いで主軸２０７の下降に伴って、第１の上側治具２０３を下降させて、その側壁部２０３ｂ，２０３ｃの下端の基板当接面ｑ2，ｑ2を切り離すべき配線基板構成部１００の両側の各連結部１０８の半部に当接させ、各連結部１０８の半部を第１の下側治具２０２の基板当接面ｑ1，ｑ1と第１の上側治具２０３の基板当接面ｑ2，ｑ2との間に挟んで（内側治具２Ａにより挟んで）保持する。この状態で、主軸１０７の更なる下降により、第１の上側治具２０３を第１の下側治具２０２とともに下方に変位させ、切り離すべき配線基板構成部１００の四隅に存在する連結部１０８を厚み方向に剪断する。
【００５９】
上記のように、本発明に係わる切り離し装置においては、切り離すべき配線基板構成部１００の両側に存在する１対の縦骨部（上記の例では縦骨部１０２，１０３）及び該１対の縦骨部を切り離すべき配線基板構成部に連結している各連結部１０８のうち、各連結部の少なくとも一部を内側治具２Ａにより挟んで保持し、切り離すべき配線基板構成部の両側に存在する１対の縦骨部及び該１対の縦骨部を切り離すべき配線基板構成部に連結している各連結部のうち、内側治具により保持されていない部分を外側治具２Ｂにより挟んで保持した状態で、両治具により保持されている部分の間の部分を剪断して、切り離すべき配線基板構成部１００をその両側の縦骨部から切り離すので、各配線基板構成部１００にストレスを加えることなく、各配線基板構成部の切り離しを行うことができる。
【００６０】
上記のようにして最初に切り離しの対象とした配線基板構成部１００を切り離した後、上側治具２０３，２０５を上昇させて、これらの治具を配線基板集合体１から退避させる。次いで、図示しない搬送装置により配線基板集合体１を縦方向（Ｙ方向）に移動させて、Ｙ1列において先に切り離した配線基板構成部１００に隣接する２番目の配線基板構成部１００を新たな切り離しの対象とし、この配線基板構成部１００を前記と同様に下側治具２０２，２０４と上側治具２０３，２０５との間に位置決めする。次いで主軸２０７を下降させて、２番目の配線基板構成部１００の四隅の連結部１０８を剪断し、この配線基板構成部１００を切り離す。
【００６１】
同様にしてＹ1列の７番目の配線基板構成部１００までを切り離した後、配線基板集合体１を横方向（Ｘ方向）に移動させて、Ｙ2列の最端部側の（Ｘ1行に属する）配線基板構成部１００を切り離しの対象としてこの配線基板構成部１００を前記と同様に下側治具２０２，２０４と上側治具２０３，２０５の間に位置決めし、主軸２０７を下降させて、この配線基板構成部１００を切り離す。以下同様にして他の列の配線基板構成部１００を切り離す。
【００６２】
上記の実施形態では、各配線基板構成部１００の両側に１対の縦スリット１０６，１０６を形成して、各配線基板構成部の四隅に連結部１０８を形成するようにしたが、本発明において、各配線基板構成部１００の１対の縦辺のそれぞれに沿う縦スリット１０６は、それぞれの縦スリットの長手方向の両端に隣接する領域に各配線基板構成部１００をその両側の縦骨部に連結する連結部を少なくとも１つ残すように設けられていればよく、各配線基板構成部に対する縦スリットの設け方は上記の例に限定されない。
【００６３】
例えば、図５に示すように、各配線基板構成部１００を両側の縦骨部に連結する連結部１０８を、各配線基板構成部１００の横方向の両端に１個ずつ形成するように、各配線基板構成部１００に対する縦スリット１０６を形成してもよい。図示の例では、各配線基板構成部１００の１対の縦辺のそれぞれに沿う縦スリット１０６が、連結部１０８を形成する部分を中間部に残すように、中間部で分断された形で設けられ、各縦スリット１０６が、各配線基板構成部１００の縦方向の両端にそれぞれ隣接する位置に形成されている横スリット１０７，１０７に連通させられている。その他の点は図１に示した実施形態と同様に構成されている。
【００６４】
上記の各実施形態では、１つの横骨部１０５を配線基板集合体１を構成する板材の縦方向の一端に形成しているが、図６に示すように、横骨部１０５′を、板材の縦方向の中間部に設けてもよい。図６に示した配線基板集合体1は、横骨１０５′が中間部に設けられている点を除き図１に示した例と同様に構成されている。
【００６５】
上記の各実施形態では、横骨１０５（または１０５′）が１つだけ設けられているが、必要に応じて複数個の横骨を設けてもよい。
【００６６】
上記の実施形態では、上側治具２０３の側壁部の下端の外側のエッジ及び下側治具２０４の起立壁部の上端の内側のエッジをそれぞれ上刃及び下刃として、内側治具２Ａを外側治具２Ｂに対して下方に変位させることにより配線基板構成部１００の両側の各連結部を剪断するようにしたが、上側治具２０５の側壁部２０５ｂ，２０５ｃの下端の内側のエッジ及び下側治具２０２の側壁部２０２ｂ，２０２ｃの上端の外側のエッジをそれぞれ上刃及び下刃として、内側治具２Ａを外側治具２Ｂに対して上方に変位させることにより配線基板構成部１００の両側の各連結部を剪断するようにしてもよい。
【００６７】
上記の実施形態では、切り離すべき配線基板構成部１００の両側の各連結部１０８を中央部で剪断するようにしているが、第１の下側治具２０２の基板当接面ｑ1，ｑ1及び第１の上側治具２０３の基板当接面ｑ2，ｑ2を、切り離すべき配線基板構成部１００の両側の各連結部１０８全体に当接するように設けて、切り離すべき配線基板構成部１００の両側の各連結部１０８と各連結部１０８につながる縦骨部との境界部で各連結部１０８を剪断するようにしてもよい。
【図面の簡単な説明】
【００６８】
【図１】本発明の一実施形態に係わる配線基板集合体の平面図である。
【図２】図１の配線基板集合体の一部を拡大して示した平面図である。
【図３】本発明に係わる配線基板集合体から配線基板構成部を切り離すために用いる    切り離し装置の構成例を示した斜視図である。
【図４】（Ａ）及び（Ｂ）は図３に示した切り離し装置の異なる動作状態を示す縦断    面図である。
【図５】本発明の他の実施形態に係わる配線基板集合体の平面図である。
【図６】本発明の更に他の実施形態に係わる配線基板集合体の平面図である。
【図７】（Ａ）は従来の配線基板集合体の一例を示した平面図である。（Ｂ）は（Ａ    ）の配線基板集合体から配線基板構成部を切り離す装置の構成を示した断面図である    。
【符号の説明】
【００６９】
１  配線基板
１００  配線基板構成部
１０１  板材
１０２，１０３，１０４  縦骨部
１０５  横骨部
１０６  縦スリット
１０７  横スリット
２  切断装置
２０２  第１の下側治具
２０３  第１の上側治具
２０４  第２の下側治具
２０５  第２の上側治具
【図１】
0004692756.tif 000002
【図２】
0004692756.tif 000003
【図３】
0004692756.tif 000004
【図４】
0004692756.tif 000005
【図５】
0004692756.tif 000006
【図６】
0004692756.tif 000007
【図７】
0004692756.tif 000008